(57)【要約】【課題】容易な操作で詳細な情報を提供する。【解決手段】送信装置２３は、現在位置の情報を取得して現在位置の情報に対応する地域の現在情報を表示するように記述されたＢＭＬ文書を、デジタル放送の規格に準拠するデータ放送方式に従って、放送信号に多重化して送信する。このＢＭＬ文書には、新たに取得した現在位置が、既に提示されている地域のＢＭＬ文書に含まれない場合に他のＢＭＬ文書にリンクさせる関数が記述されている。受信装置４１は、受信したＢＭＬ文書の記述を解読して現在位置の情報を取得し、現在位置に対応する地域の地域情報を表示する。移動により、取得した現在位置が変われば、受信装置４１は、新たな現在位置に対応する地域のＢＭＬ文書のコンテンツを自動的に取得する。【選択図】  図１
2004186741.tif 000002
【特許請求の範囲】
【請求項１】
放送信号を送信する送信装置において、
地域の現在情報が記述された複数の地域情報コンテンツと現在位置の情報を取得して現在位置に対応する地域の地域情報コンテンツを前記放送信号から抽出する指令を含むようにプログラミングされた主コンテンツとを前記放送信号に多重化するコンテンツ多重化手段と、
前記地域情報コンテンツと前記主コンテンツとが多重化された放送信号を送信する送信手段と、を備えた、
ことを特徴とする送信装置。
【請求項２】
前記複数の地域情報コンテンツは、現在位置の情報を取得して、現在位置が現在の地域情報コンテンツが示す地域から外れると判別されたときに、他の地域の地域情報コンテンツに遷移する指令を含むようにプログラミングされたものである、
ことを特徴とする請求項１に記載の送信装置。
【請求項３】
前記地域情報コンテンツは、現在の道路交通情報、ローカルニュース、ローカル天気予報のうちの少なくとも１つである、
ことを特徴とする請求項１又は２に記載の送信装置。
【請求項４】
放送信号を受信する受信装置において、
地域の現在情報が記述された複数の地域情報コンテンツと現在位置の情報を取得して現在位置に対応する地域の地域情報コンテンツを前記放送信号から抽出する指令を含むようにプログラミングされた主コンテンツとが多重化された放送信号を受信する受信手段と、
前記受信手段が受信した放送信号から前記主コンテンツを抽出して前記指令を解読するコンテンツ解読手段と、
前記コンテンツ解読手段が解読した指令に従って現在位置の情報を取得する位置情報取得手段と、
前記位置情報取得手段が取得した現在位置の情報に基づいて判別された現在位置に対応する地域の地域情報コンテンツを、前記放送信号から抽出し、抽出した地域情報コンテンツの記述に従って地域の現在情報を出力する地域情報出力手段と、を備えた、
ことを特徴とする受信装置。
【請求項５】
前記複数の地域情報コンテンツは、現在位置の情報を取得して、現在位置が現在の地域情報コンテンツが示す地域から外れると判別されたときに、他の地域の地域情報コンテンツに遷移する指令を含むようにプログラミングされたものである、
ことを特徴とする請求項４に記載の受信装置。
【請求項６】
前記地域情報コンテンツは、現在の道路交通情報、ローカルニュース、ローカル天気予報のうちの少なくとも１つである、
ことを特徴とする請求項４又は５に記載の受信装置。
【請求項７】
前記コンテンツ解読手段は、前記コンテンツの指令を解読するブラウザである、
ことを特徴とする請求項４乃至６のいずれか１項に記載の受信装置。
【請求項８】
地域の現在情報が記述された複数の地域情報コンテンツと現在位置の情報を取得して現在位置に対応する地域の地域情報コンテンツを前記放送信号から抽出するように指令する主コンテンツとを前記放送信号に多重化するステップと、
前記地域情報コンテンツと前記主コンテンツとが多重化された放送信号を送信するステップと、を備えた、
ことを特徴とする送信方法。
【請求項９】
地域の現在情報が記述された複数の地域情報コンテンツと現在位置の情報を取得して現在位置に対応する地域の地域情報コンテンツを前記放送信号から抽出する指令を含むようにプログラミングされた主コンテンツとが多重化された放送信号を受信するステップと、
前記受信した放送信号から前記主コンテンツを抽出するステップと、
前記抽出した主コンテンツの指令を解読するステップと、
前記解読した指令に従って現在位置の情報を取得するステップと、
前記取得した情報に基づいて判別された現在位置に対応する地域の地域情報コンテンツを、前記放送信号から抽出し、抽出した地域情報コンテンツの記述に従って地域の現在情報を出力するステップと、を備えた、
ことを特徴とする受信方法。
【請求項１０】
コンピュータに、
地域の現在情報が記述された複数の地域情報コンテンツを前記放送信号に多重化する手順、
現在位置の情報を取得して現在位置に対応する地域の地域情報コンテンツを前記放送信号から抽出する指令を含むようにプログラミングされた主コンテンツを前記放送信号に多重化する手順、
を実行させるためのプログラム。
【請求項１１】
コンピュータに、
現在位置を取得して前記現在位置に対応する地域の地域情報コンテンツを抽出する指令を含むようにプログラミングされた主コンテンツを、受信した放送信号から抽出する手順、
前記抽出した指令を解読する手順、
前記解読した指令に従って現在位置の情報を取得する手順、
前記取得した情報に基づいて判別された現在位置に対応する地域の地域情報コンテンツを、前記放送信号から抽出し、抽出した地域情報コンテンツの記述に従って地域の現在情報を出力する手順、
を実行させるためのプログラム。
【発明の詳細な説明】
【０００１】
【発明の属する技術分野】
本発明は、送信装置、受信装置、送信方法、受信方法及びプログラムに関する。
【０００２】
【従来の技術】
渋滞情報等の交通情報を提供するシステムとして、ＶＩＣＳ（財団法人  道路交通情報通信システムセンタ）がある（例えば、特許文献１参照）。
【０００３】
このＶＩＣＳによって提供されるサービスには、文字表示型のレベル１、簡易図形表示型のレベル２、地図表示型のレベル３のものがある。
【０００４】
このうち、レベル２のサービスは、簡易図形表示を利用したサービスである。
即ち、このサービスによれば、ディスプレイに表示された簡易図形上に、彩りされた渋滞状況を重ね書きして渋滞状況を色で識別できるようにしたり、交通規制のマークを表示したり、旅行時間等を表示したりすることができる。
このレベル２のサービスは、ＦＭ多重放送を利用したシステムで提供を受けることができ、簡易図形をディスプレイに表示することによりユーザ（運転者）に有益な情報を提供することができる。
【０００５】
また、レベル３のサービスは、カーナビゲーション装置を前提としたサービスである。即ち、測位機能を有するカーナビゲーション装置では、地図を表示した画面上にＶＩＣＳ情報を重ね書きすることも可能であるため、レベル３の機能は、カーナビゲーション装置に組み込まれることが多い。
【０００６】
【特許文献１】
特開平１３−３４９７３７号公報（第２頁）
【０００７】
【発明が解決しようとする課題】
事業者の間には、このようなサービスをさらに広げてきめ細かいサービスを提供したいという要望がある。例えば、駐車場の空き情報やレストラン情報の提供といった市町村レベルでの情報提供を行えば、利用者に、より詳細な情報を提供することができる。
【０００８】
しかし、このような詳細な情報を提供しようとすると、地域毎の情報をページ形式で区分して、地域を細分化する必要がある。地域を細分化すると、階層が深くなり、また、選択する項目も増えてくる。
【０００９】
このような場合、所望の情報を得るためには、最初にメニュー画面を表示し、このメニュー画面から何階層にもわたって、ページの選択操作を行う必要がある。このため、操作が煩雑になるといった問題が生じ、サービスの拡張性にも限界が生じる。
【００１０】
本発明は、このような従来の問題点に鑑みてなされたもので、詳細な情報の提供が可能な送信装置、受信装置、送信方法、受信方法及びプログラムを提供することを目的とする。
また、本発明は、容易な操作を可能とする送信装置、受信装置、送信方法、受信方法及びプログラムを提供することを目的とする。
【００１１】
【課題を解決するための手段】
この目的を達成するため、本発明の第１の観点に係る送信装置は、
放送信号を送信する送信装置において、
地域の現在情報が記述された複数の地域情報コンテンツと現在位置の情報を取得して現在位置に対応する地域の地域情報コンテンツを前記放送信号から抽出する指令を含むようにプログラミングされた主コンテンツとを前記放送信号に多重化するコンテンツ多重化手段と、
前記地域情報コンテンツと前記主コンテンツとが多重化された放送信号を送信する送信手段と、を備えたものである。
【００１２】
前記複数の地域情報コンテンツは、現在位置の情報を取得して、現在位置が現在の地域情報コンテンツが示す地域から外れると判別されたときに、他の地域の地域情報コンテンツに遷移する指令を含むようにプログラミングされたものであることが好ましい。
【００１３】
前記地域情報コンテンツは、現在の道路交通情報、ローカルニュース、ローカル天気予報のうちの少なくとも１つであることが好ましい。
【００１４】
本発明の第２の観点に係る受信装置は、
放送信号を受信する受信装置において、
地域の現在情報が記述された複数の地域情報コンテンツと現在位置の情報を取得して現在位置に対応する地域の地域情報コンテンツを前記放送信号から抽出する指令を含むようにプログラミングされた主コンテンツとが多重化された放送信号を受信する受信手段と、
前記受信手段が受信した放送信号から前記主コンテンツを抽出して前記指令を解読するコンテンツ解読手段と、
前記コンテンツ解読手段が解読した指令に従って現在位置の情報を取得する位置情報取得手段と、
前記位置情報取得手段が取得した現在位置の情報に基づいて判別された現在位置に対応する地域の地域情報コンテンツを、前記放送信号から抽出し、抽出した地域情報コンテンツの記述に従って地域の現在情報を出力する地域情報出力手段と、を備えたものである。
【００１５】
前記複数の地域情報コンテンツは、現在位置の情報を取得して、現在位置が現在の地域情報コンテンツが示す地域から外れると判別されたときに、他の地域の地域情報コンテンツに遷移する指令を含むようにプログラミングされたものであることが好ましい。
【００１６】
前記地域情報コンテンツは、現在の道路交通情報、ローカルニュース、ローカル天気予報のうちの少なくとも１つであることが好ましい。
【００１７】
前記コンテンツ解読手段は、前記コンテンツの指令を解読するブラウザであることが好ましい。
【００１８】
本発明の第３の観点に係る送信方法は、
地域の現在情報が記述された複数の地域情報コンテンツと現在位置の情報を取得して現在位置に対応する地域の地域情報コンテンツを前記放送信号から抽出するように指令する主コンテンツとを前記放送信号に多重化するステップと、
前記地域情報コンテンツと前記主コンテンツとが多重化された放送信号を送信するステップと、を備えたものである。
【００１９】
本発明の第４の観点に係る受信方法は、
地域の現在情報が記述された複数の地域情報コンテンツと現在位置の情報を取得して現在位置に対応する地域の地域情報コンテンツを前記放送信号から抽出する指令を含むようにプログラミングされた主コンテンツとが多重化された放送信号を受信するステップと、
前記受信した放送信号から前記主コンテンツを抽出するステップと、
前記抽出した主コンテンツの指令を解読するステップと、
前記解読した指令に従って現在位置の情報を取得するステップと、
前記取得した情報に基づいて判別された現在位置に対応する地域の地域情報コンテンツを、前記放送信号から抽出し、抽出した地域情報コンテンツの記述に従って地域の現在情報を出力するステップと、を備えたものである。
【００２０】
本発明の第５の観点に係るプログラムは、
コンピュータに、
地域の現在情報が記述された複数の地域情報コンテンツを前記放送信号に多重化する手順、
現在位置の情報を取得して現在位置に対応する地域の地域情報コンテンツを前記放送信号から抽出する指令を含むようにプログラミングされた主コンテンツを前記放送信号に多重化する手順、
を実行させるためのものである。
【００２１】
本発明の第６の観点に係るプログラムは、
コンピュータに、
現在位置を取得して前記現在位置に対応する地域の地域情報コンテンツを抽出する指令を含むようにプログラミングされた主コンテンツを、受信した放送信号から抽出する手順、
前記抽出した指令を解読する手順、
前記解読した指令に従って現在位置の情報を取得する手順、
前記取得した情報に基づいて判別された現在位置に対応する地域の地域情報コンテンツを、前記放送信号から抽出し、抽出した地域情報コンテンツの記述に従って地域の現在情報を出力する手順、
を実行させるためのものである。
【００２２】
【発明の実施の形態】
以下、本発明の実施の形態に係る送信装置、受信装置を図面を参照して説明する。
尚、本発明の実施の形態では、送信装置、受信装置を、地域情報を提供する地域情報提供システムに適用した場合について説明する。
【００２３】
本実施の形態に係る地域情報提供システムの構成を図１に示す。
地域情報提供システムは、放送局１１と、アンテナ装置１２と、ＧＰＳ衛星１３−１〜１３−ｎと、からなる。
【００２４】
このシステムは、地上デジタル放送のような、デジタル放送のＩＳＤＢ（Ｉｎｔｅｇｒａｔｅｄ  Ｓｅｒｖｉｃｅｓ  Ｄｉｇｉｔａｌ  Ｂｒｏａｄｃａｓｔｉｎｇ）方式に従って規格化されたデータ放送方式（ＡＲＩＢ  ＳＴＤ−Ｂ２４）を利用したものである。この方式によるデータ放送サービスでは、帯域が広いため、詳細な情報を提供することができる。
【００２５】
放送局１１は、放送番組の製作を行って作成したコンテンツ等を、放送信号として送出するとともに、地域情報を放送信号に多重化してデータ放送サービスとして送出する局であり、サーバ２１と、記憶装置２２と、送信装置２３と、を備える。
【００２６】
サーバ２１は、通信回線（図示せず）を介して地域に関する地域情報を取得し、取得した情報を加工して送信装置２３に供給するためのコンピュータである。尚、地域情報は、現在の道路交通情報、ローカルニュース、ローカル天気予報のうちの少なくとも１つである。また、道路交通情報には、渋滞情報、所要時間情報、道路規制情報等が含まれる。記憶装置２２は、サーバ２１が取得した地域情報を記憶する。
【００２７】
送信装置２３は、データ放送サービスを送出するものである。送信装置２３は、サーバ２１から供給された地域情報をデータ放送サービスとして送出する。この方式による帯域は広いため、このデータ放送サービスでは、詳細な情報を提供することができる。
【００２８】
送信装置２３は、図２に示すように、モノメディア符号化部３１と、マルチメディア符号化部３２と、ＤＤＢ生成部３３と、データ形式変換部３４，３５と、多重化部３６と、スクランブル部３７と、変調部３８と、を備える。
【００２９】
モノメディア符号化部３１は、データ放送用のモノメディアの符号化を行うものである。モノメディアは、ＢＭＬ（Ｂｒｏａｄｃａｓｔ  Ｍａｒｋｕｐ  Ｌａｎｇｕａｇｅ）文書に組み込まれる図形、静止画、映像、音声等の個々の表現メディアである。道路交通情報の文字、簡易地図図形、音声はモノメディアである。ＢＭＬ文書コンテンツは、データ放送用として規定されたものであり、モノメディアの合成表示制御、提示進行制御を行うためのものである。
【００３０】
ＢＭＬによるコンテンツの記述例を図３に示す。
この図３において、＜、＞は、タグである。開始タグ＜タグ名＞と終了タグ＜／タグ名＞とで囲まれた範囲は要素と呼ばれるものである。
【００３１】
＜ｂｍｌ＞は、ＢＭＬ文書の最上位の要素を示す。＜ｈｅａｄ＞は、ＢＭＬ文書のヘッダ要素を示す。＜ｓｃｒｉｐｔ＞と＜／ｓｃｒｉｐｔ＞とで囲まれた要素には、簡易なプログラム言語であるスクリプト言語が記述される。＜ｂｏｄｙ＞と＜／ｂｏｄｙ＞とで囲まれた部分には、ＢＭＬ文書のデータが記述される。
【００３２】
ＢＭＬ文書は、他の文書への切替が可能なハイパーリンク機能を有するものであって、ＢＭＬ文書には、コンテンツの動的な変化を可能とするスクリプト言語を組み込むことができる。このＢＭＬ文書を用いることにより、コンテンツのプログラミングが可能となる。また、このＢＭＬ文書に、現在の地域情報に関する文字、簡易地図図形、音声等のモノメディアを組み込むことにより、現在の地域情報を提示することができる。
【００３３】
図２に戻り、マルチメディア符号化部３２は、ＢＭＬ文書等のマルチメディアの符号化を行うものである。
【００３４】
ＤＤＢ（Ｄｏｗｎｌｏａｄ−Ｄａｔａ−Ｂｌｏｃｋ）生成部３３は、カルーセル（回転木馬）伝送を行うために、ＤＤＢと呼ばれるデータブロックを生成するものである。カルーセル伝送方式は、セクション上に同じデータを繰り返し伝送する方式である。カルーセル伝送方式を採用することにより、利用者は、いつ受信装置４１の電源をオンしてもデータ放送を受信することができる。
【００３５】
ＤＤＢ生成部３３は、ＤＤＢを生成するため、図４に示すように、まず、モノメディア符号化部３１によって符号化されたデータとマルチメディア符号化部３２によって符号化されたデータとを、図形、文字、音声の各ファイルに分ける。ＤＤＢ生成部３３は、分けた各ファイルをモジュールにまとめ、まとめたモジュールを分割してＤＤＢを生成する。
【００３６】
ＤＤＢは、ＤＩＩ（Ｄｏｗｎｌｏａｄ  Ｉｎｆｏ  Ｉｎｄｉｃｔｉｏｎ）とともにカルーセル伝送される。ＤＩＩは、伝送パラメータと各モジュールの構成を示す属性情報とが記述された伝送制御情報であり、受信装置４１は、この情報に従って必要なモジュールを識別し、データを取り出すことができる。ＤＤＢ生成部３３は、生成したＤＤＢをデータ形式変換部３４に供給する。
【００３７】
図２に戻り、データ形式変換部３４は、時刻同期させなくてもよいデータを、表示時刻に関するデータを含まない可変長のデータ列に変換するものである。このようなデータを伝送する方式はセクション（Ｓｅｃｔｉｏｎ）伝送方式と呼ばれるものである。データ形式変換部３４は、ＤＤＢ生成部３３が生成したデータをこのようなデータ列に変換する。
【００３８】
また、データ形式変換部３４は、ＰＳＩ（Ｐｒｏｇｒａｍ  Ｓｐｅｃｉｆｉｃ  Ｉｎｆｏｍａｔｉｏｎ：番組特定情報）、ＳＩ（Ｓｅｒｖｉｃｅ  Ｉｎｆｏｍａｔｉｏｎ：番組配列情報）もセクション伝送方式によるデータ列に変換する。ＰＳＩは、各番組のチャネルデータを取り出すために用いる情報であり、ＳＩは、ＥＰＧ（Ｅｌｅｃｔｏｒｏｎｉｃ  Ｐｒｏｇｒａｍ  Ｇｕｉｄｅ）を生成するための情報である。
【００３９】
ＰＳＩには、選局に必要なＰＡＴ（Ｐｒｏｇｒａｍ  Ａｓｓｏｃｉｔｉｏｎ  Ｔａｂｌｅ）、ＰＭＴ（Ｐｒｏｇｒａｍ  Ｍａｐ  Ｔａｂｌｅ）等も含まれる。ＰＭＴは、１つの編成チャネルを構成する映像、音声、データ等のコンポーネントのＰＩＤ（Ｐａｃｋｅｔ  ＩＤｅｎｔｉｆｉｅｒ：パケット識別）を識別するためのテーブルである。ＰＡＴは、ＭＰＥＧ−ＴＳ信号に含まれている全ＰＭＴのＰＩＤを識別するためのテーブルである。カルーセル伝送方式によるデータもＰＡＴ、ＰＭＴに基づいて抽出される。
【００４０】
データ形式変換部３５は、時刻同期させるデータを、タイムスタンプという表示時刻に関するデータを含む可変長のデータ列に変換するものである。このようなデータを伝送する方式はＰＥＳ（Ｐａｃｋｅｔｉｚｅｄ  Ｅｌｅｍｅｎｔａｒｙ  Ｓｔｒｅａｍ）伝送方式と呼ばれるものである。
【００４１】
データ形式変換部３５は、映像データと音声データとをこのようなデータ列に変換する。
【００４２】
多重化部３６は、データ形式変換部３４が変換したデータ列と、データ形式変換部３５が変換したデータ列と、を多重化する。また、多重化部３６は、多重化したデータ列をパケット化してＴＳヘッダを付与することにより、ＭＰＥＧ−ＴＳ（Ｍｏｖｉｎｇ  Ｐｉｃｔｕｒｅ  Ｅｘｐｅｒｔｓ  Ｇｒｏｕｐ−Ｔｒａｎｓｐｏｒｔ  Ｓｔｒｅａｍ）と呼ばれるＴＳ（Ｔｒａｎｓｐｏｒｔ  Ｓｔｒｅａｍ）パケットを生成する。このＴＳヘッダには、パケットの内容を識別するためのＰＩＤ（Ｐａｃｋｅｔ  ＩＤｅｎｔｉｆｉｅｒ：パケット識別子）が含まれている。
【００４３】
スクランブル部３７は、多重化部３６が多重化したＭＰＥＧ−ＴＳ信号のデータをランダマイズするものである。
変調部３８は、スクランブル部３７がランダマイズしたデータで搬送波を変調するものである。
【００４４】
図１に戻り、ＧＰＳ（Ｇｌｏｂａｌ  Ｐｏｓｉｔｉｏｎｉｎｇ  Ｓｙｓｔｅｍ：全地球測位システム）衛星１３−１〜１３−ｎは、地球上の物体の位置を測定するために地球周囲に配置された人工衛星である。ＧＰＳ衛星１３−１〜１３−ｎは、６つの円軌道に４つずつ配置され、各ＧＰＳ衛星１３−１〜１３−ｎは、移動体１４の位置を計測するための電波を送出する。
【００４５】
移動体１４は、車、携帯端末等の移動可能なものであって、データ放送サービスを受信するための受信装置４１を備える。この受信装置４１の構成を図５に示す。
【００４６】
受信装置４１は、アンテナ４２と、フロントエンド部４３と、バックエンド部４４と、入力装置４５と、コンテンツメモリ４６と、位置計測装置４７と、コントローラ４８と、を備えて構成される。
【００４７】
アンテナ４２は、電波を受信するためのものである。
フロントエンド部４３は、コントローラ４８から供給されたパラメータに従って、チューニング復号を行い、アンテナ４２が受信した電波から、ＭＰＥＧ−ＴＳ信号を再生するものである。フロントエンド部４３は、再生したＭＰＥＧ−ＴＳ信号をバックエンド部４４に供給する。フロントエンド部４３は、そのためのチューナ５１と、復調部５２と、を備えている。
【００４８】
バックエンド部４４は、フロントエンド部４３から供給されたＭＰＥＧ−ＴＳ信号から映像信号、音声信号、ＢＭＬコンテンツ等を取り出すものである。バックエンド部４４は、デコード部５３，５４と、グラフィック生成部５５と、映像画像処理部５６と、音声出力部５７と、映像出力部５８と、を備えて構成される。
【００４９】
デコード部５３は、ＭＰＥＧ−ＴＳ信号を、ＰＥＳ伝送方式による映像、音声等のデータと、セクション伝送方式によるデータと、に分解するものである。デコード部５３は、さらに、セクション伝送方式によるデータに含まれているＰＳＩ，ＳＩを抽出し、さらに、ＰＡＴ、ＰＭＴ等のテーブルを抽出する。デコード部５３は、ＭＰＥＧ−ＴＳ信号から分離されたセクション伝送方式によるデータをコントローラ４８に供給する。
【００５０】
デコード部５４は、デコード部５３が分解した映像、音声のデータを処理して、音声信号、映像信号を、ぞれぞれ、音声出力部５７、映像画像処理部５６に供給するものである。
【００５１】
グラフィック生成部５５は、コントローラ４８から出力されたレイアウトデータに従って、簡易地図図形、文字等の画像を作成するものである。
映像画像処理部５６は、デコード部５４から供給された映像信号とグラフィック生成部５５が作成した画像とを多重化したり、切り替えたりして、その信号を映像出力部５８に供給するものである。
【００５２】
音声出力部５７は、デコード部５４から供給された音声信号をスピーカ等に出力するものである。
【００５３】
映像出力部５８は、ＬＣＤ（Ｌｉｑｕｉｄ  Ｃｒｙｓｔａｌ  Ｄｉｓｐｌａｙ）等に、映像画像処理部５６から供給された映像信号、画像信号を出力するものである。
【００５４】
入力装置４５は、ユーザの選局情報を入力するためのものであり、リモコン、タッチパネル等からなる。入力装置４５には、プリセットボタン、ＥＰＧボタン、等（図示せず）が備えられている。
【００５５】
プリセットボタンは、チャネル番号をプリセットするためのボタンである。ＥＰＧボタンは、電子番組ガイドを選択するためのボタンである。
【００５６】
コンテンツメモリ４６は、ＭＰＥＧ−ＴＳ信号から抽出したセクション伝送方式によるデータを再構成して生成されたコンテンツを記憶するためのものである。
【００５７】
位置計測装置４７は、現在位置を測定するためのものであって、ＧＰＳ受信機等のような測位機能を有するものである。位置計測装置４７は、アンテナ４７ａを備え、ＧＰＳ衛星１３−１〜１３−ｎのうち、いずれかからの電波を受信する。そして、位置計測装置４７は、受信した複数の電波間の位相をもとめることにより、移動体１４が位置する経度、緯度等を測定し、その位置情報を取得する。
【００５８】
コントローラ４８は、受信装置４１全体を制御するものである。即ち、コントローラ４８は、入力装置４５に入力された選局情報に従って、サービスを識別し、サービスＩＤを生成する。コントローラ４８は、生成したサービスＩＤに対応する周波数、伝送モード、ガードインターバル等を指定するためのパラメータをフロントエンド部４３に供給する。
【００５９】
また、コントローラ４８は、入力装置４５に入力された選局情報に従って、必要なＴＳパケットを取り出すためのＰＩＤをバックエンド部４４に供給する。
また、コントローラ４８は、データ放送のマルチメディアデータ等の処理も行う。
【００６０】
コントローラ４８は、ＣＰＵ（Ｃｅｎｔｒａｌ  Ｐｒｏｃｅｓｓｉｎｇ  Ｕｎｉｔ）と、ＲＯＭ（Ｒｅａｄ  Ｏｎｌｙ  Ｍｅｍｏｒｙ）と、ＲＡＭ（Ｒａｎｄｏｍ  Ａｃｃｅｓｓ  Ｍｅｍｏｒｙ）と、を備える（図示せず）。ＣＰＵは、ＲＯＭに記憶された各プログラムを実行する。
【００６１】
ＲＯＭは、ＣＰＵが各処理を行うためのプログラムを記憶したメモリである。このＲＯＭは、ＢＭＬブラウザも記憶する。このＢＭＬブラウザは、ＢＭＬ文書等、デコード部５３が抽出したカルーセル伝送によるデータを処理するためのソフトウェアである。尚、ＢＭＬブラウザを書き換え可能な不揮発性メモリに記憶することもできる。
【００６２】
具体的には、ＢＭＬブラウザは、カルーセル伝送により伝送されたモジュールをＤＩＩに基づいて識別し、フィルタリングして、必要なモジュールをコンテンツメモリ４６に格納する。
【００６３】
また、ＢＭＬブラウザは、格納したモジュールからＢＭＬ文書、モノメディアを復元する。ＢＭＬブラウザは、復元したモノメディアをデコードし、ＢＭＬ文書に記述されているスクリプトを実行する。
【００６４】
そして、ＢＭＬブラウザは、ＢＭＬ文書に記述されている内容に従い、レイアウトデータを作成する。コントローラ４８は、ＢＭＬブラウザが作成したレイアウトデータをバックエンド部４４に供給する。
【００６５】
ＲＡＭは、ＣＰＵが各処理を行うために必要なデータを記憶するためのものである。
【００６６】
次に本実施の形態に係る地域情報提供システムの動作を説明する。
放送局１１が備えるサーバ２１は、渋滞情報等、時々刻々と変化する地域情報をリアルタイムに収集して、地域毎の地域情報コンテンツを作成する。
【００６７】
このような地域情報コンテンツをＢＭＬ文書を用いて表現することができる。記憶装置２２は、このＢＭＬ文書を記憶する。また、記憶装置２２には、ＢＭＬ文書に組み込むための文字、簡易地図図形、音声等のモノメディアも格納される。サーバ２１は、このＢＭＬ文書、モノメディアを、記憶装置２２から読み出して、送信装置２３に供給する。
【００６８】
送信装置２３のマルチメディア符号化部３２は、このＢＭＬ文書をマルチメディアとして符号化する。またモノメディア符号化部３１は、各地域に関する簡易地図図形、音声のモノメディアを符号化する。
【００６９】
ＤＤＢ生成部３３は、図４に示すように、モノメディア符号化部３１によって符号化されたデータとマルチメディア符号化部３２によって符号化されたデータとから、ＤＤＢを生成する。そして、ＤＤＢ生成部３３は、生成したＤＤＢをデータ形式変換部３４に供給する。
【００７０】
データ形式変換部３４には、ＰＳＩ、ＳＩ等のデータも供給される。データ形式変換部３４は、ＰＳＩ、ＳＩ等のデータと、ＤＤＢ生成部３３が生成したＤＤＢとを、それぞれ、セクション伝送方式による形式のデータに変換する。データ形式変換部３４は、形式変換したデータを多重化部３６に供給する。
【００７１】
また、放送局１１では、送信装置２３に、放送用のデータとして、映像データ、音声データのデータも供給される。映像データと音声データとは、データ形式変換部３５に供給される。
【００７２】
データ形式変換部３５は、映像データと音声データとをＰＥＳ伝送方式による形式のデータに変換する。データ形式変換部３５は、変換したデータを多重化部３６に供給する。
【００７３】
多重化部３６は、データ形式変換部３４，３５がそれぞれ形式変換したデータを多重化してＭＰＥＧ−ＴＳ信号を生成する。
【００７４】
スクランブル部３７は、多重化部３６が多重化したデータをランダマイズする。
変調部３８は、スクランブル部３７がランダマイズしたデータで搬送波を変調する。
送信装置２３は、この変調された信号をアンテナ装置１２に送出する。
【００７５】
移動体１４に搭載された受信装置４１のアンテナ４２は、アンテナ装置１２から送出されたデータ放送サービスの放送信号を受信する。
【００７６】
ユーザが入力装置４５を用いて選局すると、入力装置４５は、この選局情報をコントローラ４８に供給する。
【００７７】
コントローラ４８は、供給された選局情報に従って、周波数、伝送モード、ガードインターバル等を指定するためのパラメータを生成し、このパラメータをフロントエンド部４３に供給する。また、コントローラ４８は、入力装置４５に入力された選局情報に従って生成したＰＩＤをバックエンド部４４に供給する。
【００７８】
フロントエンド部４３のチューナ５１は、コントローラ４８から供給されたパラメータに従って、チューニング動作を行い、ＭＰＥＧ−ＴＳ信号を再生する。
【００７９】
バックエンド部４４のデコード部５３は、供給されたＭＰＥＧ−ＴＳ信号のセクションを分離し、ＭＰＥＧ−ＴＳ信号から選局に必要なＰＡＴ、ＰＭＴ等を抽出する。
【００８０】
放送番組が選局された場合、デコード部５３は、ＰＭＴのデータに従い、コントローラ４８から供給されたＰＩＤに基づいてパケットを指定して映像信、音声のデータを取り出す。デコード部５３は、取り出した映像信、音声のデータをデコード部５４に供給する。
【００８１】
デコード部５４は、映像、音声のデータを処理して、生成した映像信号、音声信号を、それぞれ、映像画像処理部５６、音声出力部５７に供給する。
【００８２】
映像信号は、映像画像処理部５６を介して映像出力部５８に供給される。映像出力部５８は、映像信号をＬＣＤ等に出力する。
また、音声出力部５７は、音声信号をスピーカ等に出力する。
【００８３】
一方、データ放送が選局された場合、デコード部５３は、ＭＰＥＧ−ＴＳ信号から抽出したＰＡＴ、ＰＭＴに従って、データ放送によるデータをＭＰＥＧ−ＴＳ信号から抽出し、抽出したデータをコントローラ４８に供給する。
【００８４】
コントローラ４８は、カルーセル伝送されたデータが供給されると、ＢＭＬブラウザを起動する。
ＢＭＬブラウザは、起動されると、カルーセル伝送により伝送されたモジュールをＤＩＩに基づいて識別し、フィルタリングして、必要なモジュールをコンテンツメモリ４６に格納する。また、ＢＭＬブラウザは、コンテンツメモリ４６に格納したデータを、ＢＭＬ文書、モノメディアの形に再構成する。
【００８５】
このコンテンツの一例を図６に示す。
地域は、エリアＡ，Ｂ，Ｃの３つとする。データ放送サービスでは、規定により、選局時、最初にＢＭＬで記述されたスタートアップ文書が再生提示されるようになっている。このスタートアップ文書をＳｔａｒｔｕｐ．ｂｍｌとする。
【００８６】
各エリアの地域情報は、ＢＭＬ文書として記述される。エリアＡ，Ｂ，ＣのＢＭＬ文書を、それぞれ、ａｒｅａ＿Ａ．ｂｍｌ，ａｒｅａ＿Ｂ．ｂｍｌ，ａｒｅａ＿Ｃ．ｂｍｌとする。ｚｕｋｅｉ＿Ａ．ｐｎｇ，ｏｎｎｓｅｉ＿Ａ．ａｉｆは、それぞれ、ａｒｅａ＿Ａ．ｂｍｌに組み込まれる簡易図形、音声のモノメディアである。また、ｚｕｋｅｉ＿Ｂ．ｐｎｇ，ｏｎｎｓｅｉ＿Ｂ．ａｉｆは、それぞれ、ａｒｅａ＿Ｂ．ｂｍｌに組み込まれる簡易図形、音声のモノメディアである。ｚｕｋｅｉ＿Ｃ．ｐｎｇ，ｏｎｎｓｅｉ＿Ｃ．ａｉｆは、それぞれ、ａｒｅａ＿Ｃ．ｂｍｌに組み込まれる簡易図形、音声のモノメディアである。
【００８７】
Ｓｔａｒｔｕｐ．ｂｍｌ，ａｒｅａ＿Ａ．ｂｍｌ，ａｒｅａ＿Ｂ．ｂｍｌ，ａｒｅａ＿Ｃ．ｂｍｌには、それぞれ、現在位置の情報を取得する関数が記述される。
また、Ｓｔａｒｔｕｐ．ｂｍｌ，ａｒｅａ＿Ａ．ｂｍｌ，ａｒｅａ＿Ｂ．ｂｍｌ，ａｒｅａ＿Ｃ．ｂｍｌには、それぞれ、取得した現在位置の情報に基づいて、関連するＢＭＬ文書に遷移させる関数が記述される。
【００８８】
例えば、図３に示すＢＭＬ文書を例にして説明すると、ｆｕｎｃｔｉｏｎ＿ｋａｎｓｕ１（ｈｅｎｓｕ１）として、現在位置の情報を取得する関数が記述され、ｆｕｎｃｔｉｏｎ＿ｋａｎｓｕ１（ｈｅｎｓｕ１）は、引数としてのｈｅｎｓｕ１に、現在位置のデータを引き渡すものとする。
【００８９】
また、ｆｕｎｃｔｉｏｎ＿ｋａｎｓｕ２（）として、ｆｕｎｃｔｉｏｎ＿ｋａｎｓｕ１（ｈｅｎｓｕ１）から引き渡されたｈｅｎｓｕ１に基づいて該当する地域に関するＢＭＬ文書にリンクするための関数が記述される。ＢＭＬブラウザは、このＢＭＬ文書に記述されているスクリプトを実行する。
【００９０】
この動作を図７に示すフローチャートに基づいて説明する。
ＢＭＬブラウザは、位置計測装置４７から、現在位置の情報を取得する（ステップＳ１１）。
【００９１】
ＢＭＬブラウザは、取得した現在位置の情報に基づいて、他のエリアのコンテンツにリンクする必要があるか否かを判定する（ステップＳ１２）。
具体的には、ＢＭＬブラウザは、新たに取得した現在位置の情報に対応する地域と既に取得した現在位置の情報に対応する地域とを比較して一致するか否かを判定する。
【００９２】
一致すれば、ＢＭＬブラウザは、他のエリアのコンテンツにリンクする必要はないと判定する（ステップＳ１２においてＮｏ）。この場合、ＢＭＬブラウザは、再度、現在位置の情報を取得する（ステップＳ１１）。
【００９３】
一方、移動体１４の移動により、新たに取得した現在位置の情報に対応する地域と既に取得した現在位置の情報に対応する地域とが不一致であれば、ＢＭＬブラウザは、他のエリアのコンテンツにリンクする必要があると判定する（ステップＳ１２においてＹｅｓ）、この場合、ＢＭＬブラウザは、取得した現在位置の情報に基づいて、リンクするのは、エリアＡのコンテンツであるか否かを判定する（ステップＳ１３）。
【００９４】
リンクするのは、エリアＡのコンテンツであると判定した場合（ステップＳ１３においてＹｅｓ）、ＢＭＬブラウザは、エリアＡのコンテンツにリンクする（ステップＳ１４）。
【００９５】
一方、リンクするのは、エリアＡのコンテンツではないと判定した場合（ステップＳ１３においてＮｏ）、ＢＭＬブラウザは、リンクするのは、エリアＢのコンテンツであるか否かを判定する（ステップＳ１５）。
【００９６】
リンクするのは、エリアＢのコンテンツであると判定した場合（ステップＳ１５においてＹｅｓ）、ＢＭＬブラウザは、エリアＢのコンテンツにリンクする（ステップＳ１６）。
【００９７】
一方、リンクするのは、エリアＢのコンテンツではないと判定した場合（ステップＳ１５においてＮｏ）、ＢＭＬブラウザは、リンクするはエリアＣのコンテンツであるか否かを判定する（ステップＳ１７）。
【００９８】
リンクするのは、エリアＣのコンテンツであると判定した場合（ステップＳ１７においてＹｅｓ）、ＢＭＬブラウザは、エリアＣのコンテンツにリンクする（ステップＳ１８）。
【００９９】
一方、リンクするのは、エリアＣのコンテンツではないと判定した場合（ステップＳ１７においてＮｏ）、ＢＭＬブラウザは、エラー処理を行う（ステップＳ１９）。ＢＭＬブラウザは、このような処理を実行すると、この処理の実行を終了させる。
そして、ＢＭＬブラウザは、ＢＭＬ文書に記述されている内容に従い、レイアウトデータを作成する。
【０１００】
次に、この動作を図８〜図１０に基づいて具体的に説明する。
尚、図８において、破線で囲まれたエリアＸ，Ａ，Ｂ，Ｃは、それぞれ、エリアＸ，Ａ，Ｂ，Ｃのコンテンツによって表示されるエリアとする。移動体１４は、エリアＸから矢印方向に進むものとする。
【０１０１】
まず、移動体１４がエリアＸ内に位置している場合、ＢＭＬブラウザは、他のエリアのコンテンツにリンクする必要はないと判定する（ステップＳ１２においてＮｏ）。
【０１０２】
移動体１４がエリアＡまで移動すると、ＢＭＬブラウザは、他のエリアのコンテンツにリンクする必要があると判定する（ステップＳ１２においてＹｅｓ）。
【０１０３】
また、リンクするのは、エリアＡのコンテンツであると判定した場合（ステップＳ１３においてＹｅｓ）、ＢＭＬブラウザは、エリアＡのコンテンツにリンクする（ステップＳ１４の処理）。エリアＡのコンテンツにリンクすると、図９に示すようなエリアＡのコンテンツ画像が表示される。
【０１０４】
移動体１４がエリアＢに移動すると、ＢＭＬブラウザは、リンクするのは、エリアＢのコンテンツであると判定する（ステップＳ１５においてＹｅｓ）。この場合、ＢＭＬブラウザは、エリアＢのコンテンツにリンクする（ステップＳ１６の処理）。エリアＢのコンテンツにリンクすると、図１０に示すようなエリアＢのコンテンツ画像が表示される。
【０１０５】
移動体１４がエリアＣに移動すると、ＢＭＬブラウザは、リンクするのは、エリアＣのコンテンツであると判定する（ステップＳ１７においてＹｅｓ）。この場合、ＢＭＬブラウザは、エリアＣのコンテンツにリンクする（ステップＳ１８の処理）。エリアＣのコンテンツにリンクすると、図１１に示すようなエリアＣのコンテンツ画像が表示される。
【０１０６】
以上説明したように、本実施の形態によれば、送信装置２３は、デジタル放送の規格に準拠するデータ放送方式に従って、ＢＭＬ文書をデータ放送の放送信号に多重化して送信する。また、このスタートアップ文書と各地域情報コンテンツとをリンクさせるようにした。
【０１０７】
従って、受信装置４１は、受信したＢＭＬ文書の記述に従って現在位置の情報を周期的に取得し、現在位置が変われば、受信装置４１は、新たな現在位置に対応する地域のＢＭＬ文書コンテンツを自動的に取得することができる。このため、地域毎の情報がページ形式で区分されて細分化されていたとしても、容易な操作で詳細な情報を提供することができる。即ち、ユーザがデータ放送を選択すれば、新たに取得した現在位置に関連づけされた地域の地域情報をユーザに提示することができる。
【０１０８】
また、地域情報として、現在の道路交通情報だけでなく、現在のローカルニュース、ローカル天気予報等を送受信することにより、種々の情報をきめ細かくユーザに提供することができる。
【０１０９】
また、現在位置が現在の地域情報コンテンツが示す地域から外れると判別されると、他の地域の地域情報コンテンツに遷移するので、家庭で使用するような移動を伴わない固定受信装置だけでなく、移動体に搭載された受信装置でも、家庭と同じように地域の現在情報を取得することができる。
【０１１０】
尚、本発明を実施するにあたっては、種々の形態が考えられ、上記実施の形態に限られるものではない。
例えば、上記実施の形態では、地上波デジタル放送によるサービスを利用した場合について説明した。しかし、これに限られるものではなく、ラジオ放送によるデータ放送を利用することもできる。
【０１１１】
図５に示す位置計測装置４７には、自動車（移動体１４）の車速パルスに基づく走行速度および走行距離、ならびにジャイロ等に基づいて走行方向等を検出する検出装置を用いることもできる。
【０１１２】
他のエリアのコンテンツにリンクする必要があるか否かを判定するための判定条件は、エリアＸ，Ａ，Ｂ，Ｃの設定によって変わってくる。上記実施の形態では、図８に示すように、エリアＸ，Ａ，Ｂ，Ｃに重複部分がないものとして説明した。この場合は、移動体１４がエリアＸ，Ａ，Ｂ，Ｃのいずれかに位置すれば、他のエリアのコンテンツにリンクする必要があると判定する。
【０１１３】
しかし、図１２に示すように、エリアＸ，Ａ，Ｂ，Ｃに重複部分があれば、移動体１４がエリアＸにもエリアＡにも位置している場合、移動体１４の移動方向、移動速度も判定条件に含めて、他のエリアのコンテンツにリンクする必要があるか否かを判定する。このように、他のエリアのコンテンツにリンクする必要があるか否かを判定するための判定条件を、エリアＸ，Ａ，Ｂ，Ｃの設定によって、適宜、設定する必要がある。
【０１１４】
また、上述の処理を実行させるためのプログラムを、フレキシブルディスク、ＣＤ−ＲＯＭ（Ｃｏｍｐａｃｔ  Ｄｉｓｋ  Ｒｅａｄ−Ｏｎｌｙ  Ｍｅｍｏｒｙ）、ＤＶＤ（Ｄｉｇｉｔａｌ  ＶｅｒｓａｔｉｌｅＤｉｓｋ）などのコンピュータ読み取り可能な記録媒体に格納して配布し、これをコンピュータにインストールし、上述の手段として動作させ、あるいは、上述の工程を実行させてもよい。また、インターネット上のサーバ装置が有するディスク装置等にプログラムを格納しておき、例えば、搬送波に重畳させて、コンピュータにダウンロード等するものとしてもよい。
【０１１５】
【発明の効果】
以上説明したように、本発明によれば、詳細な情報を提供することができる。
【図面の簡単な説明】
【図１】本発明の実施の形態に係る地域情報提供システムの構成を示すブロック図である。
【図２】図１の送信装置の構成を示すブロック図である。
【図３】ＢＭＬ文書の記述例を示す説明図である。
【図４】カルーセル伝送方式の説明図である。
【図５】図１の受信装置の構成を示す説明図である。
【図６】ＢＭＬ文書の一例を示す説明図である。
【図７】受信装置のＢＭＬブラウザの動作を示す説明図である。
【図８】具体的な動作を示す説明図である。
【図９】具体的な動作を示す説明図である。
【図１０】具体的な動作を示す説明図である。
【図１１】具体的な動作を示す説明図である。
【図１２】具体的な動作を示す説明図である。
【符号の説明】
１１  放送局
１２  アンテナ装置
１３−１〜１３−ｎ  ＧＰＳ衛星
１４  移動体
２３  送信装置
４１  受信装置
４８  コントローラ
【図１】
2004186741.tif 000003
【図２】
2004186741.tif 000004
【図３】
2004186741.tif 000005
【図４】
2004186741.tif 000006
【図５】
2004186741.tif 000007
【図６】
2004186741.tif 000008
【図７】
2004186741.tif 000009
【図８】
2004186741.tif 000010
【図９】
2004186741.tif 000011
【図１０】
2004186741.tif 000012
【図１１】
2004186741.tif 000013
【図１２】
2004186741.tif 000014